(57)【特許請求の範囲】
【請求項１】
プリンタ用印字ヘッドアセンブリであって、前記印字ヘッドアセンブリは、
ページ幅印刷を果たす細長い印字ヘッドチップを支持する少なくとも一つの細長い印字ヘッド成形品であって、前記少なくとも一つの細長い成形品はチップへインクを供給するための少なくとも一つのインク通路を画成し、前記細長い成形品の少なくともチップ担持部分は前記細長い成形品の長手方向の端面から見たときにアーチ形である、前記少なくとも一つの印字ヘッド成形品と、
送り手段であって、前記送り手段の一部分は、前記印字ヘッドチップが前記送り手段のフットプリント範囲内にあるように前記細長い成形品の前記アーチ形部分内に納めるべく、前記少なくとも一つの成形品に隣接して配置される、前記送り手段と、
を含むプリンタ用印字ヘッドアセンブリ。
【請求項２】
前記アセンブリは２つの成形品を含み、各成形品は印字ヘッドチップを支持し、各細長い成形品の長手方向の端面から見たときの形が同一アーチ状である、
請求項１に記載のアセンブリ。
【請求項３】
各成形品は、その関連する印字ヘッドへ異なるインクを供給するための複数の通路を画成する、
請求項２に記載のアセンブリ。
【請求項４】
各成形品は、前記印字ヘッドチップ上への破片や異物の堆積を阻止するために、前記印字ヘッドチップへ濾過空気を送るための空気チャネルを含む、
請求項２に記載のアセンブリ。
【請求項５】
前記印字ヘッドチップまたはその各々の動作を制御する制御手段を含み、前記制御手段は前記少なくとも一つの成形品に搭載され、コネクタを介して前記印字ヘッドチップとの間で通信する、
請求項１に記載のアセンブリ。
【請求項６】
前記コネクタは、前記少なくとも一つの成形品の周囲の一部に巻かれたフレキシブルＰＣＢである、
請求項５に記載のアセンブリ。
【請求項７】
前記送り手段は、前記少なくとも一方の成形品の前記細長い部分の曲率半径に相当する曲率半径を持つローラーである、
請求項１に記載のアセンブリ。
【請求項８】
プリンタ用印刷エンジンであって：
請求項１に請求する第１印字ヘッドアセンブリと、
前記第１印字ヘッドアセンブリと対向して整列した関係で配置される、請求項１に請求する第２印字ヘッドアセンブリと、
を含む印刷エンジン。
【発明の詳細な説明】
【０００１】
【発明の分野】
本発明はモジュール式プリンタに関する。本発明は、必ずしも限定されないが、特には高速で、デジタルの、写真品質商用印刷をもたらすモジュール式商用プリンタに関する。本発明は、具体的にはモジュール式商用プリンタのための印字ヘッドアセンブリに関する。
【０００２】
【発明の背景】
高速印刷では、複数の大型印刷機が共にデイジーチェーン接続されて出版物の所定ページを印刷し、それら所定ページが一緒に固定されて出版物を形成する。そのような印刷機は極めて大きな容積を占めて非常に高価である。
【０００３】
本出願人は、ページ幅の印字ヘッドを有する床置型プリンタを数多く使用する商用プリンタも提案している。この商用プリンタは、１８０ページの文書を毎秒最大５冊という極めて高い生産速度を意図している。
【０００４】
このような高い製作速度を達成するためには、プリンタにとって大量の消耗品が直ちに利用できる必要がある。従って、繰返すが、そのような商用プリンタは、本出願人のＭｅｍｊｅｔ（ＭｅｍｊｅｔはＳｉｌｖｅｒｂｒｏｏｋ  Ｒｅｓｅａｒｃｈ  Ｐｔｙ  Ｌｔｄの商標である）技術を使用しない同等の高級商用プリンタよりもコストは大幅に低いものの、極めて大きな占有容積が必要でがある。
【０００５】
本出願人は、占有容積が小さくて、本出願人の先に提案したＭｅｍｊｅｔ商用プリンタよりスループット速度は低いがそれと同品質の商用プリンタのニーズを認めた。
【０００６】
【発明の概要】
本発明によると、プリンタ用印字ヘッドアセンブリが提供され、この印字ヘッドアセンブリは、
ページ幅印刷を果たす細長い印字ヘッドを支持する少なくとも一つの印字ヘッド成形品であって、前記少なくとも一つの成形品はチップへインクを供給するための少なくとも一つのインク通路を画成し、前記成形品の少なくともチップ担持部分は受容区域を画成するために、端面から見たときにアーチ形である、前記少なくともひとつの印字ヘッド成形品と、送り手段であって、前記送り手段の一部分は、印字ヘッドチップが送り手段のフットプリント範囲内にあるように受容区域内に納めるべく、前記少なくとも一つの成形品に隣接して配置される、前記送り手段とを含む。
【０００７】
好ましくは、アセンブリは２つの成形品を含み、各成形品は印字ヘッドを支持し、端面から見たときの形が同一アーチ状であり、成形品の一方は他方の成形品の中に納まり、少なくとも前記一方の成形品の印字ヘッドチップは送り手段のフットプリント範囲内にある。
【０００８】
更に、各成形品は、好ましくは、その関連する印字ヘッドへ異なるインクを供給するための複数の通路を画成する。本明細書では、用語「インク」は、種々の色の可視インク、可視スペクトルでは不可視であるが赤外スペクトルでは可視であるインク、印刷媒体上へインクを固定するための定着剤、および印刷媒体上の印刷物を覆うためのワニスを含む、と広義に理解される用語である。
【０００９】
各成形品は、印字チップ上への破片や異物の堆積を阻止するために、印字チップへ濾過空気を送るための空気チャネルを含んでもよい。
【００１０】
アセンブリは、印字ヘッドチップまたはその各々の動作を制御する制御手段を含んでもよく、前記制御手段は前記少なくとも一つの成形品に搭載され、コネクタを経由して前記印字ヘッドチップとの間で通信する。このコネクタは、前記少なくとも一つの成形品の周囲の一部に巻かれたフレキシブルＰＣＢであってもよい。２つの成形品が設けられている場合には、各成形品は、その周囲の一部の周りに巻かれた、その成形品に関係するフレキシブルＰＣＢを有してもよい。好ましくは、フレキシブルＰＣＢは各成形品の周囲の凸部周りに巻かれる。
【００１１】
送り手段は、前記受容区域にすっぽり嵌り込むように前記少なくとも一方の成形品の前記部分の曲率半径に相当する曲率半径を持つローラーであってもよい。従って、「フットプリント」とは、ローラーの直径面に垂直なローラーの対向両側面へ引かれた２本の接線間のローラーのその部分の投影である。
【００１２】
端面から見たときに各成形品を実質的に鎌形にすることによって、成形品の印字ヘッドチップは送り手段の回転軸へ近接され、それによって印刷媒体を印字ヘッド間隙へ厳密に制御して維持することが分かるであろう。
【００１３】
本発明は、プリンタ用印刷エンジンへも拡張し、この印刷エンジンは、
上に記載の第１印字ヘッドアセンブリと、
第１印字ヘッドアセンブリと対向した整列関係で配置される、上に記載の第２印字ヘッドアセンブリとを含む。
【００１４】
【好ましい実施の形態の詳細な説明】
本発明を、実施例として添付図面を参照に以下説明する。
【００１５】
図面を参照すると、符号１０は、本発明に従うプリンタ全体を示す。プリンタ１０はモジュール式プリンタであり、高速度で、デジタルの、写真品質商用印刷を果たす、下で更に詳細に説明するように他の同一プリンタと組み合わせて使用される。プリンタ１０のアレイを組み合わせることにより、大型化や小型化可能な印刷システムを提供できる。しかし、必要に応じて、単体のプリンタ１０を個別に使用してもよい。
【００１６】
プリンタ１０はハウジング１２を備える。ハウジング１２は、上側カバー１４、下側カバー１６（図９）、第１側壁１８および第２対向側壁２０（図９）でできている。各側壁１８、２０は、端キャップつまり頬状成形品２２を終端と成す。各頬状成形品２２は、プリンタ１０の生産コストを低減するために同一である。各頬状成形品２２は、特定用途のインサート２４が受容されるスロットを有する。
【００１７】
ハウジング１２はフレーム２６を取囲む。プリンタ１０の内部構成部品はフレーム２６に支持される。
【００１８】
ハウジング１２の各端の対向頬状成形品２２は、それらの間で調節可能に案内ローラー２８を支持する。従って、各頬状成形品２２は、連係するローラー２８の機軸が受容されるアーチ形スロット３０を画成する。
【００１９】
上記で説明したように、商用印刷用途のために、複数のプリンタ１０を一緒に使用することが意図されている。図面の図５と６に図解するように、プリンタ１０は一緒に積み重ねられてスタック４０を形成する。図５で図解した実施の形態では、スタック４０は支持テーブル４２上へ配置される。スタック４０の底のプリンタ１０は、プリンタ１０のロック足４４によってテーブル４２へ係止される。スタック４０内のそれに続く各プリンタ１０のロック足４４は、直下のプリンタ１０の上部にある連係する孔４６に受容される。各ロック足４４にはバヨネット結合具を有しているので、それにより、足４４が、場合に応じて、直下のプリンタまたはテーブル４２の孔４６の一つへ挿入されたときに、足４４を４分の１回転することにより、上側プリンタ１０を直下のプリンタ１０またはテーブル４２に対してロックする。
【００２０】
図面の図５に図解するように、プリンタ１０を、水平に積み重ねたときに、直下のプリンタの適切な孔４６の中へ一テーブルのプリンタのロック足４４をロックすることによって相互に対してオフセットさせてもよい。従って、複数の連続して整列した孔４６が各頬状成形品２２に隣接して配置される。もし何らかの程度のオフセットが必要な場合、孔４６を適切に選択することによって、そのオフセットを得ることができる。
【００２１】
プリンタ１０をオフセットして積み重ねることにより、紙４８などの印刷媒体が、巻出機（図示せず）からプリンタ１０の各々へ所定角度で供給され、プリンタ１０から好適な出口角度で排出されることが可能になる。紙４８が水平にプリンタへ供給され、かつ排出されることになる場合、スタック４０のプリンタ１０は、相互に垂直に整列される。
【００２２】
図６に、スタック４０の別の実施の形態を示す。この実施の形態では、プリンタ１０は、垂直に配置され、相互に水平方向に離間される。図解の実施例では、紙４８は、各プリンタ内へプリンタの上側端で供給され、印刷後、各プリンタ１０の底を通って排出される。スタック４０は枠組み４９に支持され、スタック４０の一端のプリンタは枠組み４９のエンドプレート５１へロック足４４を介してロックされる。スタック４０における隣接するプリンタ１０は、１テーブルのプリンタのロック足４４を隣接するプリンタ１０の適切な孔４６へ挿入することによって一緒にロックされる。制御盤５４が、プリンタースタック４０の動作を制御するために設けられる。
【００２３】
各プリンタ１０は、コントローラ、およびスタック４０内の他のプリンタの間で、２重ＵＳＢポート編成５２に受容されたＵＳＢ２接続５０を介して通信する。ポート編成５２は、スタック４０のプリンタ１０が一緒にデイジーチェーン接続され、相互と通信できるようにする入力ポートおよび出力ポートを有する。
【００２４】
各プリンタは、両面印刷ができるようにする一対の対向印字ヘッドアセンブリ５４で構成される印刷エンジン５６を含む。プリンタ１０の印刷エンジン５６の印字ヘッドアセンブリ５４（図１１）は、最高１２色で印刷できる。以下、より詳細に説明するように、各印字ヘッドアセンブリ５４は２連印字ヘッドであり、それにより、必要に応じて、６色を重複して各印字ヘッドアセンブリ５４によって印刷できる。インクは、インクカップリングボックス５８を介して印刷エンジン５６へ供給される。カップリングボックス５８は、その上に１２個のインクカップリング６０を支持する。インクホース６４がカップリングボックス５８へカップリング６０を介して結合され、印刷エンジン５６の印字ヘッドアセンブリ５４とインクコネクタ６２（図９）を介して連通する。電源接続ポート６６もインクカップリングに支持される。ポート６６は、一つの頬状成形品２２のインサート２４のうちの一つにある開口６８を通して受容される。同じインサート２４が空気カップリング７０を支持する。空気ホース７２（図７）が空気を印刷エンジン５６の印字ヘッドアセンブリ５４へ供給して、印字ヘッドアセンブリ５４の印字ヘッドノズル（図示せず）を砕片や異物が無いように維持する。
【００２５】
ローラーアセンブリ７４がプリンタ１０の取入口端に搭載される。ローラーアセンブリ７４は、駆動ローラー７６および被駆動ローラー７８を含む。駆動ローラー７６は、金属ブラケット８２に支持された駆動モータ８０によって駆動される。金属ブラケット８２は、ローラーアセンブリ７４の対向端にある対応ブラケット８４と鏡対称である。ブラケット８２と８４はフレーム２６に支持される。
【００２６】
加えて、同様な出口ローラーアセンブリ８６が、プリンタ１０の取出口端に設けられる。前と同じように、ローラーアセンブリ８６は、駆動モータ９０によって駆動される駆動ローラー８８および被駆動ローラー９２を有する。ローラー８６と９２は、金属ブラケット９４と９６との間に支持される。ブラケット９４と９６はフレーム２６へ固定される。ブラケット９４はモータ９０も支持する。
【００２７】
駆動ローラー７６は、被駆動ローラー７８を一組のヘリカル歯車１３２を介して駆動する。同様な配置は、ローラーアセンブリ８６のローラー８８と９２に関しても当てはまる。
【００２８】
プリンタ１０の入口端で空気カップリング７０を支持する成形品２２の反対側の頬状成形品２２は、ＵＳＢ制御ＰＣＢ９８も支持する。
【００２９】
印刷エンジン５６は、ローラーアセンブリ７４の（紙の供給方向で）下流に搭載された一対の対向金属ブラケット１００、１０２を備えるシャーシによって支持される。各金属ブラケット１００、１０２は、印刷エンジン５６の印字ヘッドアセンブリ５４の一つを支持する。
【００３０】
図面の図１０から１２に印刷エンジン５６をより詳細に示す。上で説明したように、印刷エンジン５６は２つの印字ヘッドアセンブリ５４を備える。印字ヘッドアセンブリ５４は対向関係に配置され、両面印刷を果たすことが可能になっている。言い換えると、紙４８は印字ヘッドアセンブリ５４間を通過する。ブラケット１００、１０２は、印字ヘッドアセンブリ５４を支持し、印字ヘッドアセンブリ５４を紙４８のウェブから略０．７５ｍｍ離して位置決めする。この距離はブラケット１００、１０２によって自動的に調節され、紙厚が変化しても一定の間隔を維持する。
【００３１】
加えて、以下で更に詳細に説明するように、印字ヘッドアセンブリ５４の印字ヘッドは、ローラー７６と７８への密接な近接を許容するように設計され、結果として、印字ヘッド間隙に対して厳密に制御された紙が得られる。
【００３２】
各印字ヘッドアセンブリ５４は、第１印字ヘッド１０４および隣接する第２印字ヘッド１０６を備える。各印字ヘッド１０４、１０６は、更に、２つのモジュール、それぞれ１０４．１と１０４．２、および１０６．１と１０６．２で構成される。
【００３３】
モジュール１０４．１および１０６．１は一緒に連結され、第１プリント回路基板（ＰＣＢ）１０８によって制御される。同様に、モジュール１０４．２および１０６．２は一緒に連結され、第２プリント回路基板（ＰＣＢ）１１０によって制御される。ＰＣＢ１０８および１１０は、印字ヘッド１０４および１０６の印字ヘッドチップ１１２との間で、フレキシブルＰＣＢ１１４を介して通信する。これらのフレキシブルＰＣＢ１１４は、印字ヘッド１０４および１０６のモジュール１０４．１、１０４．２、１０６．１および１０６．２の成形品１１８上の端子パッド１１６で終端を成す。端子パッド１１６は、ＰＣＢ１０８、１１０の対応パッド（図示せず）との間で通信する。
【００３４】
注意すべきは、成形品１１８は相互の鏡像であり、各々がその自由端にインク入口１２０を有することである。インクは相互接続された成形品１１８の一端に供給されるだけであるので、それにより使用されていない入口１２０は適切な栓で塞がれる。また、ＰＣＢ１０８、１１０も相互の鏡像である。これは、プリンタ１０の生産コストを低減し、またプリンタ１０の迅速で容易な組立を可能にする。ＰＣＢ１０８および１１０は相互に、シリアルケーブル１２２を介して通信する。ＰＣＢ１０８、１１０の一方は、コネクタ１２４を介してＵＳＢ回路基板９８へ接続される。
【００３５】
各ＰＣＢ１０８、１１０は、２個の印刷エンジンコントローラ（ＰＥＣ）１２６および連係するメモリデバイス１２８を含む。メモリデバイス１２８は動的随時書込読出メモリ（ＤＲＡＭ）デバイスである。
【００３６】
各印字ヘッドアセンブリ５４の成形品１１８は、エンドプレート１３０（図１３）を介してフレーム１００、１０２に支持される。
【００３７】
図面の図１１に印刷エンジン５６をより詳細に示す。印刷エンジン５６は、２つの印字ヘッドアセンブリ５４を備える。先に説明したように、各印字ヘッドアセンブリ５４は２つの印字ヘッド１０４、１０６を備える。各印字ヘッド１０４、１０６は、それに連係する印字ヘッドチップ１１２を有する。印字ヘッド１０４、１０６の印字ヘッドチップ１１２は、成形品１１８の長手方向の端部分に沿って支持される。印字ヘッドチップ１１２を支える各成形品１１８の端部分はアーチ形である。各成形品１１８のアーチ形部分の曲率半径は、ローラー７６、７８の半径の曲率に近い。印字ヘッド１０４、１０６のこの設計は、ローラー７６、７８への印字ヘッドチップ１１２の密接な近接を許容し、結果として印字ヘッド間隙に対して厳密に制御された紙が得られる。その際に、印字ヘッドチップ１１２は、張った状態の紙の部分へ印刷を行い、結果として紙４８上へのインク滴のより精確な堆積が得られる。
【００３８】
図面の図１２でより明瞭に図解するように、空気チャネル１３８が、印字ヘッドチップ１１２へ空気ホース７２から空気を供給するために各印字ヘッドチップ１１２に隣接して配置される。
【００３９】
印字ヘッドアセンブリ５４のこの配置により、６色でも１２色でも印刷できる。６色を印刷する場合、成形品１１８の関連通路１３６に適切な色付インクまたは関連物（便宜上「色」と称する）を有することによって、この６色は各アセンブリ５４の印字ヘッド１０４、１０６で複製する。代わりに、各印字ヘッドアセンブリ５４は、印字ヘッド１０４、１０６の通路１３６内へ充填された適切な「色」を持つ１２「色」を印刷できる。６「色」を印刷する場合、これらは、通例、シアン、マゼンタ、黄、および黒である。残りの通路１３６は定着剤およびワニスを有する。１２「色」を印刷する場合、「色」はシアン、マゼンタ、黄、黒、赤、緑、青、３種類のスポットカラー（特色）または２つのスポットカラーと赤外インク、および定着剤とワニスである。
【００４０】
プリンタ１０は、６「色」を印刷するところでは、プリンタが、１．６ｍ／秒の紙速度で毎分最大１，３６０ページの印刷速度で印刷できるように設計される。１２「色」を印刷する場合、プリンタ１０は、０．８ｍ／秒の紙速度で毎分最大６８０ページの印刷速度で動作するよう設計される。
【００４１】
この高速度は、毎秒５０，０００滴の速度で印字ヘッドチップ１１２のノズルを動作させることによって達成される。
【００４２】
各印字ヘッドモジュール１０４．１、１０４．２、１０６．１、１０６．２は、印字ヘッドチップ１１２毎に６本のノズル列を有し、各印字ヘッドチップ１１２は９２，１６０個のノズルを備えて、プリンタ１テーブルで７３７，２８０個のノズルを装備する。言うまでもないが、この数のノズルにより、全１６００ｄｐｉの解像度が１８．６２５インチのウェブ幅上で達成できる。この寸法のウェブ幅の配備は、文書の多数のページが隣り合って印刷されることを許容する。
【００４３】
加えて、印刷されるべき内容はローカルにバッファされ、結果として、複雑な文書はローカルにバッファされたデータからすっかり印刷できる。
【００４４】
各基板１０８、１１０に設置されるメモリ１２８の量は用途依存であることも意図されている。プリンタ１０が、例えばオフセット印刷機の代わりとして、不変のページを印刷するために使用されている場合、メモリモジュール毎に１６メガバイトで十分である。各ページの変化量が文字または小範囲の可変画像に限られる場合も、１６メガバイトで充分である。しかし、続くページが全く異なるような用途の場合には、印刷エンジン５６に対して合計４ギガバイトを与えるために最大１ギガバイトを各基板１０８、１１０に設置ける必要があるかもしれない。これは、完全に異なるおよそ２，０００ページが印刷エンジン５６にデジタルで格納されることを許容する。データをローカルバッファすることは、また、プリンタ１０による高速印刷を容易にする。
【００４５】
印刷エンジン５６と出口ローラーアセンブリ８６との間の間隔は、略１メートルであり、毎秒ほぼ０．８メートルの紙４８のウェブ速度で１秒の温熱定着インク乾燥時間を許容する。紙４８上の印刷された像の乾燥を促進するために、定着剤がインク通路１３６の一つに使用される。加えて、温風が、空気ホース１４２を介して空気入口１４０（図１）へ接続されたソース（図示せず）からプリンタ１０の内部へ吹き込まれる。空気入口は金属製エアダクト１４４（図９）と連通し、ダクトは印刷エンジン５６から出る紙４８に温風を吹き付ける。温風は、プリンタ１０のハウジング１２の側壁２０にある通気口１４６によってプリンタの内部から排出される。
【００４６】
プリンタ１０は、プリンタ１０の内部へ紙４８を装填する印刷媒体装填機構１５０を含む。装填機構１５０は、一対の対向エンドレスベルト１５２を備える（図面の図１５から１８で明瞭に示す）。そのようには示されていないけれども、これらのベルト１５２は小孔があり、ダクト１４４を抜けて送られる温風が使用されて、印刷後にベルト１５２を通って紙４８の両面に吹き付けられることを可能にする。
【００４７】
各ベルト１５２は一対の離間したローラー１５４の周りを通過する。ローラー１５４は、スライド１５６内を垂直に滑動可能であるように捕捉保持される。スライド１５６は、プリンタ１０のフレーム２６に取付けられる。
【００４８】
各ローラー１５４はアーム１５８の一端に搭載される。アーム１５８がそれらの連係する横移動ブロック１６２へ挟持接続されるように、各アーム１５８の対向端は共通枢動点１６０で横移動ブロック１６２へ接続される。一方、横移動ブロック１６２は、送りネジつまりウォームネジ１６４に搭載される。ウォームねじ１６４は、ブラケット１６８に支持されたモータ１６６によって回転駆動される。
【００４９】
ローラー１５４はモータ１７０によって駆動される（図１８）。
【００５０】
紙４８をプリンタ１０の中へ装填したいとき、紙装填ボタン１７２によって機構１５０が動作する（図１および８）。これは、ローラーモータ１７０だけでなくモータ１６６も起動させる。モータ１６６の回転が横移動ブロック１６２を矢印１７４の方向へ移動させ、ベルト１５２を相互に接触させる。紙４８の先端がベルト１５２間に供給され、ベルト１５２に把持されて、プリンタ１０を通って送られ、出口ローラーアセンブリ８６を通って出る。紙４８が装填されると、モータ１６６の方向が逆転され、それにより横移動ブロックは矢印１７４の方向とは反対の方向に移動し、ベルト１５２を図面の図１６に示す位置へ移動させる。従って、印刷中、ベルト１５２は紙４８の表面から離れており、それを支持してはいない。
【００５１】
従って、本発明により、商用印刷速度で印刷できるモジュール式プリンタが、文書の印刷のために提供される。幾つかのモジュールは、紙重量が変わる雑誌などの出版文書のために、折込機と組み合わせて配列できる。加えて、印刷モジュールの冗長性により、スタック４０内の他のプリンタモジュールが本来なら故障プリンタ１０によって印刷されるページの印刷を引き取るので、ダウンタイムも無く、停止したウェブに紙接合を行うことができる。
【００５２】
各プリンタ１０は、文書印刷要件をＵＳＢ２通信ネットワーク（または選択肢でイーサネット）上で操作盤５４などの作業ステーションから提供される。
【００５３】
また、各プリンタ１０のメモリ容量により、何万もの画像とテキストのブロックをメモリに格納でき、１ページ毎のベースで完全に任意の選択が可能になる。これは、読者毎に高度に特注化されたカタログや雑誌などの内容の印刷を可能にする。
【００５４】
この技術に精通した者には言うまでもなく、詳細に説明した本発明の精神と範囲から逸脱することなく、特定の実施の形態に示したような本発明に対して多くの変形および／または修正が可能である。従って、ここに記載の実施の形態は、あらゆる点で説明のためのものであり、限定的なものではないとみなすこととする。
【図面の簡単な説明】
【図１】  本発明に従うプリンタの立体図を示す。
【図２】  プリンタの平面図を示す。
【図３】  プリンタの側面図を示す。
【図４】  プリンタの端面図を示す。
【図５】  本発明の一つの実施の形態に従うプリンタ−スタックの立体図を示す。
【図６】  本発明の別の実施の形態に従うプリンタ−スタックの立体図を示す。
【図７】  流体接続を含むプリンタの立体図を示す。
【図８】  プリンタの一部詳細立体図を示す。
【図９】  プリンタの分解組立立体図を示す。
【図１０】  プリンタの印刷エンジンの立体図を示す。
【図１１】  印刷エンジンの断面端面図を示す。
【図１２】  印刷エンジンの一部を拡大して示す。
【図１３】  印刷エンジンの印字ヘッドアセンブリの一つの立体図を示す。
【図１４】  印字ヘッドアセンブリの一つの分解組立立体図を示す。
【図１５】  プリンタの印刷媒体装填機構の側断面図をその装填配置で示す。
【図１６】  プリンタの装填機構の側断面図をその非装填開放配置で示す。
【図１７】  装填機構の立体図をその非装填配置で示す。
【図１８】  装填機構の分解組立立体図をその装填配置で示す。
【符号の説明】
１０…プリンタ、１２    ハウジング、１４…上側カバー、１６…下側カバー、１８，２０…側壁、２２…頬状成形品、２４…インサート、２６…フレーム、２８…案内ローラー、３０…アーチ形スロット、４０…プリンタースタック、４２…支持テーブル、４４…ロック足、４６…孔、４８…紙、５０…ＵＳＢ接続、５１，１３０…エンドプレート、５２…ポート編成、５４…制御盤、５６…印刷エンジン、５８…インクカップリングボックス、６０…インクカップリング、６２…インクコネクタ、６４…インクホース、６６…電源接続ポート、６８…開口、７０…空気カップリング、７２,１４２…空気ホース、７４，８６…ローラーアセンブリ、７６，８８…駆動ローラー、７８，９２…被駆動ローラー、８０，９０，１６６，１７０…モータ、８２，８４，９４，１００，１６８…ブラケット、９８，１０８…回路基板、１０４…印字ヘッドモジュール、１０６…印字ヘッド、１１２…印字ヘッドチップ、１１６…端子パッド、１１８…成形品、１２０…インク入口、１２２…    シリアルケーブル、１２４…コネクタ、１２８…メモリ、１３２…ヘリカル歯車、１３６…インク通路、１３８…空気チャネル、１４０…空気入口、１４４…エアダクト、１４６…通気口、１５０…印刷媒体装填機構、１５２…ベルト、１５４…ローラー、１５６…スライド、１５８…アーム、１６０…枢動点、１６２…      横移動ブロック、１７２…紙装填ボタン。
【図１】
0004426759.tif 000002
【図２】
0004426759.tif 000003
【図３】
0004426759.tif 000004
【図４】
0004426759.tif 000005
【図５】
0004426759.tif 000006
【図６】
0004426759.tif 000007
【図７】
0004426759.tif 000008
【図８】
0004426759.tif 000009
【図９】
0004426759.tif 000010
【図１０】
0004426759.tif 000011
【図１１】
0004426759.tif 000012
【図１２】
0004426759.tif 000013
【図１３】
0004426759.tif 000014
【図１４】
0004426759.tif 000015
【図１５】
0004426759.tif 000016
【図１６】
0004426759.tif 000017
【図１７】
0004426759.tif 000018
【図１８】
0004426759.tif 000019